(57)【要約】【課題】    ガーデニング用緑化システム等において、植栽容器に常に適量の水を供給することができるようにした自動給水調整弁を提供すること。【解決手段】    給水調整弁１０が、植栽容器内に設けた給水カップと給水タンクとを接続した水供給パイプ４に設けられており、弁体内部に形成した弁室１６内において、水の注入側に形成した弁座１１１に球体１７を当接し、水の排出側に設けたコイルバネ１８によって球体１７を弁座１１１に押圧する。給水タンクと接続した水供給パイプ４を自動給水調整弁１０の水注入側に接続し、給水タンクを給水カップよりも高い位置に設置する。給水調整弁１０は、円筒状に形成された第１の弁ケース１１と第２の弁ケース１２とからなり、両者はＯリングを介して着脱自在にねじ結合されている。【選択図】    図２
2008061566.tif 000002
【特許請求の範囲】
【請求項１】
給水調整弁（１０）が、植栽容器（１）内に設けた給水カップ（２）と給水タンク（３）とを接続した水供給パイプ（４）に設けられており、弁体内部に形成した弁室（１６）内において、水の注入側に形成した弁座（１１１）に球体（１７）を当接し、水の排出側に設けたコイルバネ（１８）によって上記球体を上記弁座に押圧し、上記給水タンクと接続した水供給パイプを上記給水調整弁の水注入側に接続し、上記給水カップと接続した水供給パイプを上記給水調整弁の水注出側に接続し、上記給水タンクを上記給水カップよりも高い位置に設置したことを特徴とするガーデニング用緑化システム等に使用する自動給水調整弁。
【請求項２】
給水調整弁（１０）は、円筒状に形成された第１の弁ケース（１１）と第２の弁ケース（１２）とからなり、上記第１の弁ケースの先端側に第１のケース接続雄ネジ（１３）が形成され、上記第２の弁ケースの基端側に第２のケース接続雌ネジ（１４）が形成されており、Ｏリングを介して上記第１の弁ケース及び第２の弁ケースをねじ結合したことを特徴とする請求項１に記載のガーデニング用緑化システム等に使用する自動給水調整弁。
【請求項３】
給水カップ（２）が、セラミックを素焼きした透水性を有する資材で形成されていることを特徴とする請求項１又は２に記載のガーデニング用緑化システム等に使用する自動給水調整弁。
【発明の詳細な説明】
【技術分野】
【０００１】
本発明は、主としてガーデニング用緑化システム等に使用する自動給水調整弁に関するものである。
【背景技術】
【０００２】
本願発明者は、ベランダ又は屋上で成育するのに好適なガーデニング用緑化システムを開発し、特許文献１により提案した。
【特許文献１】特開２００４−２４８６２３号公報
【０００３】
特許文献１に記載の発明は、植生基板ユニット１と給水ユニット２とからなり、植生基板ユニット１は、パン３の底部に敷設された保水材４、保水材４の上面に敷設された導水シート５、導水シート５に接続した給水配管部６を備えており、給水配管部６は接続管７を介して給水ユニット２と接続されている。また、植生基板ユニット１は、複数個を有しており、各パン３に設けられた給水配管部６は接続管７によって互いに接続されているものである。
【０００４】
給水配管部６は、中空パイプ状セラミック多孔管１０に接続管７を介して給水ユニット２から水が供給されるものであり、多孔管１０の外周には導水シート５が複数重に巻かれている。これにより、接続管７を通って多孔管１０に導入された水は、多孔内部を伝って導水シート５に滲み出し、毛細管現象によってパン３の内部に一面に広がり土壌８を通じて植物９に吸収され、また、過剰水は保水材４を通じてパン３に形成された排水孔を通じて排水されるのである。
【０００５】
提案されたシステムは、セラミック多孔管の孔径を０．０００１〜０．１ｍｍの範囲内に設定することにより、植生基板ユニット内への配水と給水のバランスがよく、過剰な水の供給が防止できると説明されているが、水の供給が、給水ユニット２と多孔管１０との水頭差によって行われるので、どうしても過剰に供給される傾向にあり改善されることが望まれていた。
【発明の開示】
【発明が解決しようとする課題】
【０００６】
本発明の課題は、ガーデニング用緑化システム等において、植栽容器に供給する水が供給過剰になることなく常に適量を供給できるようにした自動給水調整弁を提供することである。
【課題を解決するための手段】
【０００７】
解決手段の第１は、給水調整弁が、植栽容器内に設けた給水カップと給水タンクとを接続した水供給パイプに設けられており、弁体内部に形成した弁室内において、水の注入側に形成した弁座に球体を当接し、水の排出側に設けたコイルバネによって上記球体を上記弁座に押圧し、上記給水タンクと接続した水供給パイプを上記給水調整弁の水注入側に接続し、上記給水カップと接続した水供給パイプを上記給水調整弁の水注出側に接続し、上記給水タンクを上記給水カップよりも高い位置に設置したことを特徴とするものである。
【０００８】
解決手段の第２は、第１の解決手段において、給水調整弁が、円筒状に形成された第１の弁ケースと第２の弁ケースとからなり、上記第１の弁ケースの先端側に第１のケース接続雄ネジが形成され、上記第２の弁ケースの基端側に第２のケース接続雌ネジが形成されており、Ｏリングを介して上記第１の弁ケース及び第２の弁ケースをねじ結合したことを特徴とするものである。
【０００９】
解決手段の第３は、第１又は第２の解決手段において、給水カップが、セラミックを素焼きした透水性を有する資材で形成されていることを特徴とするものである。
【発明の効果】
【００１０】
請求項１は、給水調整弁の弁体内に形成した弁室おいて、水の供給側に形成した弁座に球体を当接し、水の排出側に設けたコイルバネによって上記球体を弁座に押圧して調整弁を「閉」状態としたものであって、給水カップから水が排出して弁室内の水圧が低下し、給水タンクから供給される水の圧力が上記コイルバネの付勢力より強くなると、供給される水の圧力が、コイルバネの付勢力に抗して球体を後退させて調整弁を「開」として水を給水カップに供給するものであるから、給水タンクと給水カップの水頭差によって当該給水カップに給水するものであるが、植栽にとって最適な量の水を植栽容器に供給できることの効果を有している。
【００１１】
請求項２は、給水調整弁が、円筒状に形成された第１の弁ケースと第２の弁ケースとからなり、第１の弁ケースにケース接続雄ネジを形成し、第２の弁ケースにケース接続雌ネジを形成し、両者がＯリングを介してねじ結合されたものであるから、弁体内部に形成する弁室並びに当該弁室内に収容する球体及びコイルバネの組立てが容易となることの効果がある。
【００１２】
請求項３は、給水カップが、セラミックを素焼きした透水性を有する資材で形成されているから、給水カップに供給された水は、土壌に含まれる水分によって自動的に出入するので、水の管理が容易に行えるものとなっている。
【発明を実施するための最良の形態】
【００１３】
図１は本発明の自動給水調整弁を使用した緑化システムを示す側面図、図２は自動給水調整弁の断面図、図３は同部品図である。
【００１４】
図１を参照して緑化システムの概要を説明する。例示した緑化システムは、植栽容器１内に設けた給水カップ２が、給水タンク３に水供給パイプ４を介して接続されたものであって、給水カップ２が、例えば、セラミックを素焼きした透水性を有する資材で形成されているものである。また、植栽容器１には土壌が収容されていて、給水カップ２は土壌中に埋設されているものである。
【００１５】
給水タンク３から水供給パイプ４を経て給水カップ２に供給された水は、土壌水分の状態により、土壌が乾燥していれば給水カップ２から水が吸出し、逆に土壌水分が多い場合は土壌中の水分がカップ内に吸入される。その後は、土壌水分に応じて給水カップ２内の水が出入し、土壌水分張力に対して平衡状態を維持する。
【００１６】
本発明は、土壌水分の状態により給水カップ２から水が出入する時に生ずる水圧差を検出して水の供給路を開閉するものであって、上記した水供給パイプ４に給水調整弁１０を設けたものである。図中、２１は給水タンク３と給水調整弁１０を接続した水供給パイプ４に設けた第１の開閉コック、２２は給水調整弁１０と給水カップ２を接続した水供給パイプ４に設けた第２の開閉コックである。
【００１７】
図２及び図３を参照して給水調整弁の詳細を説明する。給水調整弁１０は、円筒状に形成され、水の注入側となる第１の弁ケース１１と、水の排出側となる第２の弁ケース１２とを有し、第１の弁ケース１１の先端側にケース接続雄ネジ１３を形成し、第２の弁ケース１２の基端側にケース接続雌ネジ１４を形成し、これらのケース接続雄ネジ１３及びケース接続雌ネジ１４により着脱自在に結合したものである。
【００１８】
また、第１の弁ケース１１及び第２の弁ケース１２には、Ｏリング１５を介して結合した時に、内部に弁室１６が形成されるようになっている。弁室１６内では、第１の弁ケース１１の略中央部に形成した弁座１１１に球体１７を当接すると共に、第２の弁ケース１２の略中央部に形成した係合段部１２１にコイルバネ１８を係合し、第１の弁ケース１１と第２の弁ケース１２をねじ結合した時、上記球体１７がコイルバネ１８によって弁座１１１に押圧されるように収容されている。
【００１９】
第１の弁ケース１１と水供給パイプ４の接続は、当該水供給パイプ４の先端側に設けた第１のパイプ接続ナット３１を第１の弁ケース１１の基端部に設けた第１のパイプ接続雌ネジ１１２とねじ結合し、また、第２の弁ケース１２と供給パイプ４の接続は、当該水供給パイプ４の基端側に設けた第２のパイプ接続ナット３２を第２の弁ケース１２の先端部に設けた第２のパイプ接続雌ネジ１２２とねじ結合して接続されており、給水タンク３からの水は、水供給パイプ４を経て第１の弁ケース１１に注入され、弁室１６を通って第２の弁ケース１２から注出し、水供給パイプ４ａを経て給水カップ２に供給される。
【００２０】
なお、本明細書において、各部材の「基端側又は基端部」とは、給水タンク３に向う部分をいい、また、「先端側又は先端部」とは、植栽容器１に向う部分をいう。
【００２１】
植栽容器１はベランダ又は屋上などに設置し、給水タンク３は懸垂架台３０に上記給水カップ２よりも高い位置に設置する。ただし、給水タンク３は設置される位置が給水カップ２よりも高い位置であればよく、懸垂架台３０が取付け手段の例示であることは勿論である。給水カップ２への水の供給は、給水タンク３と給水カップ２の水頭差による水圧を利用する。
【００２２】
実施形態では、給水タンク３と給水カップ２を接続した水供給パイプ４に給水調整弁１０を設けたものであるから、土壌が乾燥状態になって、給水カップ２から水が吸出して弁室１６内の水圧が低下すると、給水タンク３からの水の圧力がコイルバネ１８に抗して球体１７を後退させ、これにより、水調整弁１０が「開」となって給水タンク３からの水が弁室１６を通って給水カップ２に供給される。
【００２３】
また、土壌中に水が満たされている場合は、給水カップ２から水が吸出しないだけでなく、土壌中の水分が給水カップ２内に吸入されるから、たとえ、給水タンク３から供給される水に圧力があっても給水調整弁１０は「閉」でなくてはならない。
【００２４】
給水調整弁１０の弁室１６内にコイルバネ１８によって弁座１１１を閉塞している球体１７は、弁室１６内の水圧が高い場合は、給水タンク３から供給される水の圧力に打勝って弁室１６を閉塞して水調整弁１０を「閉」状態とする。したがって、土壌水分が必要量だけ確保されている時は植栽容器１に不要な水が供給されることがなく、常に適量の水が供給できるようになっている。
【００２５】
また、本発明は、給水調整弁１０が、第１の弁ケース１１と第２の弁ケース１２とからなり、両者をねじ結合したものであるから、弁体内部に形成する弁室並びに当該弁室内に収容した球体及びコイルバネの組立が容易となるものである。
【図面の簡単な説明】
【００２６】
【図１】本発明の自動給水調整弁を使用した緑化システムを示す側面図。
【図２】自動給水調整弁の断面図。
【図３】自動給水調整弁の部品図。
【符号の説明】
【００２７】
１  植栽容器
２  給水カップ
３  給水タンク
４  水供給パイプ
１０  給水調整弁
１１  第１の弁ケース
１２  第２の弁ケース
１３  第１のケース接続雄ネジ
１４  第２のケース接続雌ネジ
１５  Ｏリング
１６  弁室
１７  球体
１８  コイルバネ
２１  第１の開閉コック
２２  第２の開閉コック
３０  懸垂架台
３１  第１のパイプ接続雄ネジ
３２  第２のパイプ接続雄ネジ
１１１  弁座
１１２  第１のパイプ接続雌ネジ
１２１  係合段部
１２２  第２のパイプ接続雌ネジ
【図１】
2008061566.tif 000003
【図２】
2008061566.tif 000004
【図３】
2008061566.tif 000005